(57)【要約】【課題】  埋設されたガス管の周囲が掘り返されてガス管が露出する場合、ガス管を保護するための保護カバーを簡単な作業で装着できるようにする。【解決手段】  気密布２の周縁部が封止されて内部空間が密封されるエアマット状のカバー本体３と、このカバー本体３に設けられるベルト５によって保護カバー１を形成し、カバー本体３をガス管Ｐの周囲に巻いてベルト５で固定できるようにする。また、カバー本体３の中間部を気室区画線６でシールして独立室７を二つ形成し、各独立室７の気密布２をガス管Ｐの長さ方向に線状に融着して絞り線部９として複数の拡張空間部１０に区画し、各拡張空間部１０同士が連通状態になるようにする。また、独立室７同士を連結用ホースによって連通・遮断自在にする。【選択図】      図１
2006307979.tif 000002
【特許請求の範囲】
【請求項１】
埋設されたガス管の周囲が掘り返されてガス管が露出した場合などに一時的に該ガス管を保護しておくための保護カバーであって、気密布で囲まれる内部空間の周囲が封止され且つガス管の周囲に巻くことのできるエアマット状のカバー本体と、ガス管の周囲に巻いた状態のカバー本体を固定することのできる固定手段を備え、前記カバー本体の内部空間は、ガス管の長さ方向に沿った複数条の絞り線部によって複数の拡張空間部に区画されるとともに、この拡張空間部は連通状態にされることを特徴とするガス管の保護カバー。
【請求項２】
前記カバー本体の内部空間は、ガス管の長さ方向に対して非連通状態の複数の独立室に区画され、それぞれの独立室の外側に前記固定手段が設けられることを特徴とする請求項１に記載のガス管の保護カバー。
【請求項３】
前記カバー本体の内部空間は、ガス管に対する巻き付け方向に対して非連通状態の複数の独立室に区画されることを特徴とする請求項１又は請求項２に記載のガス管の保護カバー。
【請求項４】
前記複数の独立室は、気室連結用のホースによって連結・遮断自在に連結されていることを特徴とする請求項２又は請求項３に記載のガス管の保護カバー。
【請求項５】
請求項１乃至請求項４のいずれか１項に記載のガス管の保護カバーの異常を検知する装置であって、前記カバー本体の内部空間に連通するホースまたは前記気室連結用のホースの端部に圧力センサを設け、内部空間のエア圧が設定圧力範囲を超えると警報を発するようにしたことを特徴とするガス管の保護カバーの異常検知装置。
【発明の詳細な説明】
【技術分野】
【０００１】
本発明は、例えば埋設されるガス管の周囲が掘り返されてガス管が外部に露出するような場合、掘削機の誤接触や工具の落下等からガス管を保護するための技術に関する。
【背景技術】
【０００２】
従来、都市ガス事業者等は各家庭にガスを供給するためガス管を道路などに埋設しているが、地中にはその他の事業者が埋設する上水道管や下水道管などが多く存在する。そして、これらは近接して埋設されていることが多く、しかも、上水道管や下水道管などの事業者によって、多くの道路開削工事が頻繁に行われている現状にあり、この際、上水道や下水道工事に関しては第三者企業によって行われることが多いが、ガス管はその都度外部に露出する状態となる。
一方、ガス管は、軟鋼管の表面をポリエチレンで被覆した中圧用ポリエチレン被覆鋼管や、低圧用ポリエチレン管や、鋳鉄管が使用されているが、中圧用ポリエチレン被覆鋼管は、軟鋼管部へ到達するような傷がつくと埋設環境によっては短期間で腐食する虞があり、また、ポリエチレン管は、耐震性には強いものの外傷に弱い性質があるため、掘削機等に引掛けられた場合にはガスが噴出する虞がある。このため、ガス事業者以外の他の事業者や第三者企業などが開削工事を行う際、ガス管が露出する場合は、図９に示すように、ガス会社の立会い者等が工事に立会ってガス管の周囲にゴムシートＳを巻き付け、これをテープ等Ｔで固定して保護する等の処置を施している。
【０００３】
また、一般に円柱状の物体を搬送する際の緩衝材として、長方形の可撓性シートに細長い袋体を所定間隔置きに固定し、袋体の周囲を保護膜で覆うとともに、シートが円筒状に湾曲するように構成した技術（例えば、特許文献１参照。）や、二枚のガスバリヤ性の可撓性壁面によって囲まれた複数の細長形の壁間部を並設し、壁間部に気体の注入と排出を可能にする注入用栓と排出用栓を共通または別個に設けるような技術（例えば、特許文献２参照。）なども知られている。
【特許文献１】特開２００２−２３４５７７号公報
【特許文献２】特開平７−１６５２６５号公報
【発明の開示】
【発明が解決しようとする課題】
【０００４】
ところが、従来のようにガス管の周囲にゴムシートＳを巻き付けて保護する方法は、ゴムシートＳの重量が重くて取り扱い性がよくないという問題がある。しかも、ゴムシートＳをガス管に巻き付けた後、テープ等Ｔで固定する作業もやりにくいため、全般に作業性が極めて悪かった。
また、特許文献１や特許文献２の技術のように、独立した複数の袋体や壁間部を並設する技術の場合、１箇所の袋体や壁間部が破損してもその箇所だけ緩衝機能が損なわれて他の箇所は緩衝機能が損なわれないという利点はあるものの、ガス管に巻いて使用しようとしたときに、ガス管に巻いた後に空気を注入しようとすると、各袋体や壁間部に別個に空気を注入する必要があることから作業性が悪かった。これに対して、始めから空気を注入した状態でガス管に巻こうとした場合には、膨らんでいるため巻きにくく、余計に作業性が悪かった。
また、他の事業者等が工事を行う際、ガス会社の立会い者等が常時現場に立ち会うことができればよいが、立会い者の担当工事現場が複数箇所であるような場合に、遠隔地でも保護体制に異常がないかどうかを監視できる技術が望まれていた。
【０００５】
そこで本発明は、特に、開削現場等において埋設したガス管が外部に露出するような場合に、掘削機等からガス管を確実に保護することができ、その際の作業性が容易で、しかも、遠隔地でも異常がないかどうかを確実にモニターできるようにすることを目的とする。
【課題を解決するための手段】
【０００６】
上記目的を達成するため本発明は、埋設されたガス管の周囲が掘り返されてガス管が露出した場合などに一時的に該ガス管を保護しておくための保護カバーにおいて、気密布で囲まれる内部空間の周囲が封止され且つガス管の周囲に巻くことのできるエアマット状のカバー本体と、ガス管の周囲に巻いた状態のカバー本体を固定することのできる固定手段によって構成し、前記カバー本体の内部空間を、ガス管の長さ方向に沿った複数条の絞り線部によって複数の拡張空間部に区画するとともに、この拡張空間部を連通状態にした。
【０００７】
そして、例えば、カバー本体をガス管に巻きつけ、その後、固定手段によって若干の余裕を持たせてカバー本体を固定した後、カバー本体内にエアを注気するような手順を採用すれば、ガス管の周囲がクッション層に覆われて保護されるようになるとともに、極めて簡単な作業で保護できる。また、この際、ガス管の長さ方向に沿って複数条の絞り線部を設けておけば、カバー本体はガス管の円周方向に沿って容易に湾曲する。また、複数の拡張空間部が連通状態にあるため、１ヶ所から注気するだけで全体を膨らませることができ、作業容易である。
ここで、ガス管の長さ方向に沿った絞り線部によって複数の拡張空間部を区画する具体的手段としては、例えば、表面と裏面の気密布同士を直接接着して内部空間を区画してもよく、あるいは表面と裏面の気密布の間に帯状の吊り布等を接着して内部空間を区画してもよい。この際、絞り線部を部分的に設け、接着しない箇所を設ける等によって、区画された拡張空間部が連通状態になるようにする。
【０００８】
また本発明では、前記カバー本体の内部空間を、ガス管の長さ方向に対して非連通状態の複数の独立室に区画し、それぞれの独立室の外側に前記固定手段を設けるようにした。
このように、長さ方向に対して複数の独立室に区画しておけば、例えば、露出するガス管の長さが変化しても自由に対処できるようになる。すなわち、露出するガス管が長いようなときは、複数の保護カバーの独立室部分を重ねて長さ方向全体を覆うようにし、この際、重ね合わせる独立室部分の空気の充填量を調整し、ガス管の周囲が一定の厚みのクッション層で覆われるようにすれば、作業中に誤って接触するような機会が少なくなるとともに、覆われない隙間がなくなってガス管の保護が万全となる。
一方、ガス管の長さが短いようなときは、空気を充填しない独立室を設ければよく、その際には充填しない独立室は管とカバーとの間に巻き込むようにしてもよい。
【０００９】
また本発明では、前記カバー本体の内部空間を、ガス管に対する巻き付け方向に対して非連通状態の複数の独立室に区画するようにした。
このように巻き付け方向に対して複数の独立室に区画すれば、例えばガス管の径が変わった場合にも自由に対処できるようになる。すなわち、径が大きい場合には、複数の保護カバーの独立室部分を重ねて径方向全体を覆うようにし、この際、重ね合わせる独立室部分の空気の充填量を調整し、ガス管の周囲が一定の厚みのクッション層で覆われるようにすれば、作業中に誤って接触するような機会が少なくなるとともに、覆われない隙間がなくなってガス管の保護が万全となる。
一方、ガス管の長さが短いようなときは、空気を充填しない独立室を設ければよい。
【００１０】
また本発明では、前記複数の独立室を、気室連結用のホースによって連結・遮断自在に連結するようにした。
そして、例えば注気や排気時には独立室を連結しておき、それ以外の時は連結を遮断しておけば、注気作業や排気作業が楽に行える。
【００１１】
また本発明では、前記ガス管の保護カバーの異常を検知する装置において、前記カバー本体の内部空間に連通するホースまたは前記気室連結用のホースの端部に圧力センサを設け、内部空間のエア圧が設定圧力範囲を超えると警報を発するようにした。
このような異常検知装置により、立会い者等が実際の現場から離れていても異常を検知することができ、適切に対処することができる。
【発明の効果】
【００１２】
ガス管の周囲に巻くことのできるカバー本体の内部空間を複数条の絞り線部によって複数の拡張空間部に区画し、この拡張空間部を連通状態にすることで、ワンタッチでガス管に装着し保護することができ、しかも全体が軽量であるため作業容易である。
この際、ガス管の長さ方向に対して複数の独立室に区画すれば、露出するガス管の長さが変わっても自由に対処できるようになり、巻き付け方向に対して複数の独立室に区画すれば、ガス管の径が変わっても自由に対処できるようになる。そして、これら独立室を連結ホースで連結・遮断自在に連結すれば、給排気の作業の容易化が図れる。
また、カバー本体の内部空間のエア圧の異常を検知することにより、遠隔地でも対処できる。
【発明を実施するための最良の形態】
【００１３】
本発明の実施の形態について添付した図面に基づき説明する。
ここで図１は本発明に係る保護カバーの平面図、図２はカバー本体内に充気した状態の正面図、図３は同側面図、図４は保護カバーをガス管に巻いてセットした状態の説明図、図５は同断面図、図６は複数の保護カバーの一部を重ね合わせて使用する一例の説明図、図７は同断面図、図８は異常検知装置の構成概要図である。
【００１４】
本発明に係る保護カバーは、埋設されたガス管の周囲を掘り返し、ガス管が外部に露出するような場合に、掘削機の誤接触や工具落下等の原因によってガス管が損傷するような事態を簡易な手順で防止できるようにされ、給排気が容易なエアマット状のカバー本体をガス管に巻き付けて保護することを特徴としている。
【００１５】
この保護カバー１は、図１乃至図３に示すように、二枚の気密布２を重ね合わせて周囲を封止し、内部に密封された空間部を有するカバー本体３と、このカバー本体３の表面側の気密布２のベルト通し部４に設けられる固定手段としてのベルト５を備えており、本実施例では、気密布２の中間部を気室区画線６でシールすることにより内部空間部を二つの独立室７（図３）に区画するとともに、ベルト５は各独立室７に対応して別個に設けている。尚、内部空間部が二つの独立室に区画されていないカバー本体を例えば２つ以上用いて、それらをファアスナーで接続することにより、独立した空間部を２つ以上形成するようにしてもよい。
【００１６】
ここで、本実施例では、気密布２の素材として、熱融着可能なポリウレタン引布とし、気密布２の周囲と気室区画線６は、上下の引布を線状に融着している。
そして、それぞれの独立室７に対応する上面側の気密布２には、独立室７内にエアを給気、または排気するための給排気バルブ８が設けられている。
【００１７】
また、各独立室７は、複数条の絞り線部９により複数の拡張空間部１０（図２）に区画されている。そして、この絞り線部９は上下の気密布２を直接融着することで形成されており、また絞り線部９の両側端部と、周縁融着部または気室区画線６との間には、融着されていないクリアランス部分が設けられており、このクリアランス部分を通してお互いの拡張空間部１０同士が連通状態にされている。
なお、本実施例では、絞り線部９として、上下の気密布２を直接、線状に融着するようにしているが、別体の帯状の吊り布等を上下の気密布２に融着させて拡張空間部１０に区画するようにしてもよい。
【００１８】
ここで、気密布２の素材として、ポリウレタン引布を選定している理由は、生地を被覆するポリウレタンフィルム層の摩耗強度がゴムやＰＶＣ素材に較べて優れて外的な損傷を受けにくく、また、比重もゴムやＰＶＣ等に較べて軽量であるからである。勿論、ＰＶＣやゴム等の樹脂が被覆された気密シートであってもよい。但し、外的な損傷に耐え得る強度を有する素材としては、フィルム素材より、繊維を合成樹脂フィルムやシートでサンドイッチにしたターポリン等の引布が好ましい。
【００１９】
また、拡張空間部１０の構造としては、空気を充填した場合に、すべての拡張空間部１０の厚みが均一になるよう、幅を一定にしておくことが好ましい。
【００２０】
前記ベルト５は、先端部の締付け具１１によって長さを自在に締付け固定できるようにされている。この際、ベルトの形態としては、例えば図１に示すような連続したベルト５でもよく、連続したベルト５の中間部を除いて両端部のみからなるベルトでもよい。
なお、このような固定手段は気密布２の外周端部にカバーを設けてカバーに面ファスナ等を設けるようにしてもよく、気密布２の端部にファスナを設けるようにしてもよく、その他の手段によるようにしてもよい。
また、ベルト５にする場合、ベルト通し部４を設けずに気密布２に直接接着するようにすることも可能である。
【００２１】
また、上面側の気密布２には、図１に示すように、各独立室７の内部空間同士を連通・遮断自在にするための連結ホース接続用バルブ１２が各独立室７に一対設けられている。
このバルブ１２は、例えば、不図示のホースを連結するとエアの流通が可能になるよう自動的にオープンとなり、ホースを外すと、エアの流通が遮断させるよう自動的にクローズになるようなタイプのものでもよいし、或いは該ホース中にバルブ付きのカップリング材を設けて、エアの流通・遮断を調整するものでよい。
【００２２】
以上のような保護カバー１の作用等について図４、図５に基づき説明する。
開削された工事現場等で、露出したガス管Ｐの周囲にカバー本体３を巻きつけ、その後、ベルト５をやや緩めに固定する。次いで、連結ホース接続用バルブ１２に不図示の連結用ホースを接続して独立室７同士を連通させた後、いずれか一方の給排気バルブ８にホース等を接続して給気する。ここで、本実施例では、充気装置としてフットポンプを想定しているが、ブロアやコンプレッサ等を使用することも可能である。この際、埋設したガス管にセットした状態で保護カバー１に充気するため、ホースは長めの方が好ましい。
【００２３】
充気に伴ってカバー本体３の両方の独立室７の拡張空間部１０は膨張し、所定の充気量の充填が完了すると、ガス管Ｐの周囲には一定厚みのクッション層が形成され、充気完了と同時に保護カバー１のセットが完了する。すなわち、この状態で、掘削機等が誤接触したり、工具等が落下したりしてもガス管Ｐが損傷することはなく、しかも保護カバー１のセット作業は極めて簡単である。
【００２４】
次に、ガス管Ｐの露出長さが長い場合に二枚の保護カバー１を使用して保護する一例について図６、図７に基づき説明する。
【００２５】
このようにガス管Ｐの露出長さが長いようなときは、二枚の保護カバー１の独立室７部分を重ね合わせることにより、クッション層の隙間を生じさせないでガス管Ｐを覆って保護することができる。この際、必要に応じて独立室７部分の充気量を調整し、例えば図７に示すように、重なり部の独立室７の充気量を両方とも半分にしたり、または、一方側だけの独立室７に充気して他方側の独立室７には充気しないようにすることで、全体としての膨らみが均一になるようにすれば、掘削機等の誤接触によりガス管Ｐが損傷するのを防止できる。
【００２６】
ところで、以上のような保護カバー１において、ガス管に対する巻き付け方向に対して複数の独立室に区画することも可能である。この場合は、ガス管Ｐの径が大きい場合に、複数枚の保護カバー１の一部を巻き付け方向に対して重ね合わせるようにし、この際、重ね合わせる独立室部分の充気量を調整すれば全体の厚みを均一にできる。
また、径が小さい場合には、一部の独立室だけ充気し、その他の独立室は充気しない等により、全体の厚みを均一にすることができる。
【００２７】
ここで、図８は、以上のような保護カバー１の空気圧の異常を遠隔地でも検知できるようにした異常検知装置の構成概要図である。
すなわち、カバー本体３の内部空間に連通するホースか、または気室連結用のホース端部に圧力センサ１４を設け、センサ１４が異常を検知すると、通信システム１５の受信機１６が警報を発するようにしておけば、受信機１６を持った人は実際の施工現場を離れた位置からでも直ちに状態を把握できる。
【００２８】
すなわち、保護カバー１を装着したガス管Ｐに掘削機等が接触して力が作用すると、カバー本体３が損傷しない場合は一時的に圧力が上昇する。また、大きな損傷によりカバー本体３が破裂等した場合には、圧力がゼロとなる。そこで、このような圧力変化をセンサ１４でモニターし、圧力変動が一定の範囲を超えて上昇または下降した場合に、警報信号を発するようにすれば、間接的にガス管Ｐの異常が検知できる。
そして、複数の独立室７が気室連結用ホースで連結されている場合は、センサ１４をいずれか１ヶ所の気室連結用ホースの端部に設けるようにし、カバー本体３の内部空間が単独である場合には、カバー本体３の内部空間に連通するホースを新たに設け、このホース端部にセンサ１４を設けるようにする。
【００２９】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、カバー本体３の素材等や固定手段５の具体的構成等は例示である。
【産業上の利用可能性】
【００３０】
埋設されたガス管の周囲が掘り返されてガス管が露出する場合に、簡単な手順でガス管を保護することができる。また、遠隔地でもガス管の異常が確実にモニターできるので、ガス管の損傷防止を効果的に図ることができる。
【図面の簡単な説明】
【００３１】
【図１】本発明に係る保護カバーの平面図
【図２】カバー本体内に充気した状態の正面図
【図３】同側面図
【図４】保護カバーをガス管に巻いてセットした状態の説明図
【図５】同断面図
【図６】複数の保護カバーの一部を重ね合わせて使用する一例の説明図
【図７】同断面図
【図８】異常検知装置の構成概要図
【図９】開削状態の説明図
【符号の説明】
【００３２】
１…保護カバー、２…気密布、３…カバー本体、５…ベルト、６…気室区画線、７…独立室、９…絞り線部、１０…拡張空間部、１４…圧力センサ、Ｐ…ガス管。
【図１】
2006307979.tif 000003
【図２】
2006307979.tif 000004
【図３】
2006307979.tif 000005
【図４】
2006307979.tif 000006
【図５】
2006307979.tif 000007
【図６】
2006307979.tif 000008
【図７】
2006307979.tif 000009
【図８】
2006307979.tif 000010
【図９】
2006307979.tif 000011